(57)【要約】【課題】  車内の各搭乗者の状態に応じて、噴霧の拡散範囲を制御する。【解決手段】  収容物を噴霧する噴霧器に接続される車載器は、前記噴霧器による噴霧が開始された場合に、搭乗者の生体情報を取得する取得部と、前記生体情報が所定の条件を満たすと判定された場合に、該生体情報が取得された搭乗者の着座位置を特定する特定部と、特定された前記着座位置に応じた制御パターンにより、前記噴霧器による噴霧を制御する制御部とを有する。【選択図】図１
2018192963.tif 000002
【特許請求の範囲】
【請求項１】
収容物を噴霧する噴霧器に接続される車載器であって、
前記噴霧器による噴霧が開始された場合に、搭乗者の生体情報を取得する取得部と、
前記生体情報が所定の条件を満たすと判定された場合に、該生体情報が取得された搭乗者の着座位置を特定する特定部と、
特定された前記着座位置に応じた制御パターンにより、前記噴霧器による噴霧を制御する制御部と
を有することを特徴とする車載器。
【請求項２】
前記制御パターンには、前記噴霧器のフィンの方向、前記噴霧器により噴霧される単位時間あたりの噴霧量のいずれかが含まれ、
前記制御部は、前記制御パターンに基づいて前記噴霧器を制御することで、前記収容物の拡散範囲を制御することを特徴とする請求項１に記載の車載器。
【請求項３】
前記生体情報には、前記搭乗者の脳波を測定することで得られる脳波データが含まれることを特徴とする請求項１または２に記載の車載器。
【請求項４】
車両の搭乗者の生体情報を測定する測定ユニットと、
収容物を噴霧する噴霧器と、
前記測定ユニット及び前記噴霧器に接続される車載器と、
を有する噴霧システムであって、
前記車載器は、
前記噴霧器による噴霧が開始された場合に、前記搭乗者の生体情報を取得する取得部と、
前記生体情報が所定の条件を満たすと判定された場合に、該生体情報が取得された搭乗者の着座位置を特定する特定部と、
特定された前記着座位置に応じた制御パターンにより、前記噴霧器による噴霧を制御する制御部と
を有することを特徴とする噴霧システム。
【請求項５】
収容物を噴霧する噴霧器に接続される車載器のコンピュータに、
前記噴霧器による噴霧が開始された場合に、搭乗者の生体情報を取得する取得工程と、
前記生体情報が所定の条件を満たすと判定された場合に、該生体情報が取得された搭乗者の着座位置を特定する特定工程と、
特定された前記着座位置に応じた制御パターンにより、前記噴霧器による噴霧を制御する制御工程と
を実行させるためのプログラム。
【発明の詳細な説明】
【技術分野】
【０００１】
本発明は、車載器、噴霧システム及びプログラムに関する。
【背景技術】
【０００２】
従来より、車内にアロマオイル等を噴霧する車両用の噴霧器（アロマディフューザ）が知られている。当該噴霧器によれば、車両の搭乗者は、車内で芳香療法の効能（覚醒効果、鎮静効果等）を享受することができる。
【先行技術文献】
【特許文献】
【０００３】
【特許文献１】特開平１１−２７８０４８号公報
【発明の概要】
【発明が解決しようとする課題】
【０００４】
しかしながら、芳香療法の効能には個人差があり、車内に複数の搭乗者がいた場合、搭乗者によっては効能がなく、噴霧されたアロマオイルを不快に感じることもある。このような場合、従来の噴霧器では、噴霧の停止操作を行うか、噴霧量を減らす操作を行うことで対応せざるを得なかった。このため、芳香療法の効能を享受したい特定の搭乗者が、効能を享受できないといった問題があった。
【０００５】
本発明は上記課題に鑑みてなされたものであり、車内の各搭乗者の状態に応じて、噴霧の拡散範囲を制御することを目的とする。
【課題を解決するための手段】
【０００６】
一態様によれば、収容物を噴霧する噴霧器に接続される車載器は、
前記噴霧器による噴霧が開始された場合に、搭乗者の生体情報を取得する取得部と、
前記生体情報が所定の条件を満たすと判定された場合に、該生体情報が取得された搭乗者の着座位置を特定する特定部と、
特定された前記着座位置に応じた制御パターンにより、前記噴霧器による噴霧を制御する制御部とを有する。
【発明の効果】
【０００７】
車内の各搭乗者の状態に応じて、噴霧の拡散範囲を制御することができる。
【図面の簡単な説明】
【０００８】
【図１】噴霧システムのシステム構成の一例を示す図である。
【図２】車両における噴霧システムの搭載例を示す図である。
【図３】車載器のハードウェア構成の一例を示す図である。
【図４】車載器の噴霧器制御部の機能構成の一例を示す図である。
【図５】制御パターン情報の一例を示す図である。
【図６】搭乗者情報の一例を示す図である。
【図７】拡散範囲制御処理の流れを示すフローチャートである。
【図８】複数の噴霧器の配置例及び噴霧器が複数の場合の制御パターン情報の一例を示す図である。
【発明を実施するための形態】
【０００９】
以下、各実施形態について添付の図面を参照しながら説明する。なお、本明細書及び図面において、実質的に同一の機能構成を有する構成要素については、同一の符号を付することにより重複した説明を省く。
【００１０】
［第１の実施形態］
＜噴霧システムのシステム構成＞
はじめに、車両に搭載される噴霧システムのシステム構成について説明する。図１は、第１の実施形態における噴霧システムのシステム構成の一例を示す図である。図１に示すように、噴霧システム１００は、脳波測定ユニット１１０＿１〜１１０＿４と、車載器１２０と、噴霧器１３０とを有する。なお、本実施形態において、噴霧システム１００は、車両の搭乗者の指示に基づいて起動、停止が行われるものとする。
【００１１】
脳波測定ユニット１１０＿１〜１１０＿４は、車両の各搭乗者に装着され、各搭乗者の脳波を測定する。図１の例は、車両の搭乗者が４名である場合を示しているが、車両の搭乗者の数はこれに限定されない。脳波測定ユニット１１０＿１〜１１０＿４はそれぞれ、固有のユニットＩＤを有している。
【００１２】
なお、脳波測定ユニット１１０＿１〜１１０＿４が装着される搭乗者の着座位置は予め定められているものとする。例えば、脳波測定ユニット１１０＿１は、運転席に着座する搭乗者（つまり、運転者）に装着されるものとする。また、脳波測定ユニット１１０＿２は、助手席に着座する搭乗者に装着されるものとする。更に、脳波測定ユニット１１０＿３、１１０＿４は、それぞれ、後部座席右側、後部座席左側に着座する搭乗者に装着されるものとする。このように、脳波測定ユニット１１０＿１〜１１０＿４と搭乗者の着座位置とを対応付けることにより、ユニットＩＤに基づいて着座位置を特定することが可能になる。
【００１３】
また、脳波測定ユニット１１０＿１〜１１０＿４は、Ｂｌｕｅｔｏｏｔｈ（登録商標）などの無線通信技術を介して車載器１２０と接続され、装着された搭乗者の脳波を測定することで得た脳波データを、ユニットＩＤとともに車載器１２０に送信する。
【００１４】
車載器１２０は、例えば、ナビゲーション装置により実現される。車載器１２０には、噴霧器制御プログラムがインストールされており、車載器１２０は、当該噴霧器制御プログラムを実行することで、噴霧器制御部１２１として機能する。
【００１５】
噴霧器制御部１２１は、噴霧器１３０に対して、噴霧開始の指示及び噴霧停止の指示を送信する。また、噴霧器制御部１２１は、噴霧器１３０に対して噴霧開始の指示を送信した後、脳波測定ユニット１１０＿１〜１１０＿４からの脳波データの取得を開始し、噴霧を開始したことで不快に感じている搭乗者を判定する。脳波データが所定の条件を満たす場合、噴霧器制御部１２１は、当該搭乗者が不快に感じていると判定し、不快に感じている搭乗者の着座位置を、ユニットＩＤに基づいて特定する。更に、噴霧器制御部１２１は、特定した着座位置に応じた制御パターン情報（フィン方向、噴霧量情報、噴霧サイズ）を制御パターン情報データベース（以下、ＤＢと略す）１２２より読み出し、噴霧器１３０に送信することで、噴霧器１３０を制御する。
【００１６】
噴霧器１３０は、例えば、赤外線通信等により車載器１２０と接続される。噴霧器１３０は、噴霧器制御部１２１より噴霧器制御情報として、開始指示を受信した場合に、収容物の噴霧を開始する。なお、本実施形態において、噴霧器１３０には、収容物として、アロマオイルが収容されているものとする。これにより、噴霧器１３０は、アロマオイルを噴霧することができる。また、噴霧器１３０は、噴霧器制御部１２１より噴霧器制御情報として、停止指示を受信した場合に、アロマオイルの噴霧を停止する。
【００１７】
更に、噴霧器１３０は、アロマオイルの噴霧方向を制御するためのフィンを有しており、噴霧を開始する際、フィン方向はデフォルトの方向に設定される。一方、噴霧器制御情報としてフィン方向を受信した場合、噴霧器１３０は、受信したフィン方向にフィンを制御する。また、噴霧器１３０は、エアポンプを有しており、噴霧を開始する際、単位時間あたりの噴霧量はデフォルトの量に設定される。一方、噴霧器制御情報として噴霧量を受信した場合、噴霧器１３０は、単位時間あたりの噴霧量が、受信した噴霧量となるように、エアポンプの圧力を制御する。更に、噴霧器１３０は、噴霧するアロマオイルの粒子径を調整する粒子径調整ユニットを有しており、噴霧を開始する際、粒子径はデフォルトの径に設定される。一方、噴霧器制御情報として噴霧サイズを受信した場合、噴霧器１３０は、受信した粒子径となるように粒子径調整ユニットを制御する。
【００１８】
このように、噴霧システム１００では、噴霧開始後に各搭乗者の状態を監視し、アロマオイルの噴霧を不快に感じている搭乗者の着座位置を特定し、フィン方向、噴霧量、噴霧サイズを変更することで、車内におけるアロマオイルの拡散範囲を制御する。
【００１９】
＜噴霧システムの搭載例＞
次に、噴霧システム１００の車両への搭載例について説明する。図２は、車両における噴霧システムの搭載例を示す図である。車載器１２０がナビゲーション装置により実現される場合、車載器１２０は、例えば、図２に示すように、ダッシュボード２１０内に組み込まれる。一方、噴霧器１３０は、例えば、図２に示すように、センタコンソール２３０のドリンクフォルダ２４０に載置される。図２に示すように、噴霧器１３０は円筒形状を有しており、ドリンクフォルダ２４０によって固定される（固定方向は予め定められているものとする）。なお、噴霧器１３０は、ドリンクフォルダ２４０によって固定された状態でアロマオイルを車内に噴霧できるよう、上部側面に噴霧口２２０を有している。また、噴霧口２２０の内部には、フィン（上下方向に可動するフィン及び左右方向に可動するフィン）、エアポンプ、粒子径調整ユニットが設けられている。
【００２０】
また、脳波測定ユニットは、搭乗者の頭部に装着されるものとする。図２の例は、運転席に着座した搭乗者に脳波測定ユニット１１０＿１が装着され、助手席に着座した搭乗者に脳波測定ユニット１１０＿２が装着された様子を示している。
【００２１】
＜車載器のハードウェア構成＞
次に、車載器１２０のハードウェア構成について説明する。図３は、車載器のハードウェア構成の一例を示す図である。図３に示すように、車載器１２０は、ＣＰＵ（Central Processing Unit）３０１、ＲＯＭ（Read Only Memory）３０２、ＲＡＭ（Random Access Memory）３０３を有する。ＣＰＵ３０１、ＲＯＭ３０２、ＲＡＭ３０３は、いわゆるコンピュータを形成する。また、車載器１２０は、補助記憶デバイス３０４、操作デバイス３０５、表示デバイス３０６、Ｉ／Ｆ（Interface）デバイス３０７を有する。なお、車載器１２０の各部は、バス３０８を介して相互に接続されている。
【００２２】
ＣＰＵ３０１は、補助記憶デバイス３０４にインストールされている各種プログラム（例えば、噴霧器制御プログラム等）を実行するデバイスである。ＲＯＭ３０２は、不揮発性メモリであり、補助記憶デバイス３０４にインストールされた各種プログラムをＣＰＵ３０１が実行するために必要な各種プログラムを格納する、主記憶デバイスとして機能する。ＲＡＭ３０３は、ＤＲＡＭ（Dynamic Random Access Memory）やＳＲＡＭ（Static Random Access Memory）等の揮発性メモリである。ＲＡＭ３０３は、補助記憶デバイス３０４にインストールされている各種プログラムがＣＰＵ３０１によって実行される際に展開される作業領域を提供する、主記憶デバイスとして機能する。
【００２３】
補助記憶デバイス３０４は、車載器１２０にインストールされた各種プログラム及び各種ＤＢを記憶する補助記憶デバイスである。制御パターン情報ＤＢ１２２は補助記憶デバイス３０４において実現される。操作デバイス３０５は、車両の搭乗者が、車載器１２０に対して各種指示を入力する際に用いるデバイスである。表示デバイス３０６は、車両の搭乗者に対して各種表示画面を表示するためのデバイスである。Ｉ／Ｆデバイス３０７は、車載器１２０が、脳波測定ユニット１１０＿１〜１１０＿４や噴霧器１３０と通信を行うための通信デバイスである。
【００２４】
＜車載器の噴霧器制御部の機能構成＞
次に、車載器１２０の噴霧器制御部１２１の機能構成について説明する。図４は、車載器の噴霧器制御部の機能構成の一例を示す図である。噴霧器制御プログラムが実行されることで実現される噴霧器制御部１２１には、脳波データ取得部４１０、脳波データ解析部４２０、位置特定部４３０、制御部４４０が含まれる。なお、噴霧器制御部１２１には、当該各部のほか、噴霧開始、停止の指示を受け付ける機能や、脳波測定ユニット１１０＿１〜１１０＿４との通信を確立するための機能、噴霧器１３０との通信を確立するための機能等が含まれるが、図４では省略している。
【００２５】
脳波データ取得部４１０は、噴霧器１３０によりアロマオイルの噴霧が開始されると、脳波測定ユニット１１０＿１〜１１０＿４からそれぞれ送信される脳波データの取得を開始する。脳波データ取得部４１０は、取得した脳波データを脳波データ解析部４２０に通知する。
【００２６】
脳波データ解析部４２０は、脳波データ取得部４１０より通知された脳波データを解析し、アロマオイルの噴霧を不快に感じている搭乗者を判定する。脳波データ解析部４２０は、取得した脳波データが所定の条件を満たすか否かを判定することで、アロマオイルの噴霧を不快に感じている搭乗者を判定する。所定の条件を満たす脳波データが検出された場合、脳波データ解析部４２０は、当該脳波データを送信した脳波測定ユニットのユニットＩＤを位置特定部４３０に通知する。
【００２７】
位置特定部４３０は、脳波データ解析部４２０より通知されたユニットＩＤに基づいて、アロマオイルの噴霧を不快に感じている搭乗者の着座位置（不快情報検出位置）を特定する。また、位置特定部４３０は、特定した不快情報検出位置を制御部４４０に通知する。
【００２８】
制御部４４０は、制御パターン情報ＤＢ１２２に格納された制御パターン情報を読み出し、位置特定部４３０より通知された不快情報検出位置に対応する制御パターン（フィン方向、噴霧量、噴霧サイズ）を取得する。また、取得した制御パターンを含む噴霧器制御情報を噴霧器１３０に送信することで、噴霧器１３０を制御する。
【００２９】
＜制御パターン情報の詳細＞
次に、制御パターン情報ＤＢ１２２に格納された制御パターン情報の詳細について説明する。図５は、制御パターン情報の一例を示す図である。図５に示すように、制御パターン情報５００は、情報の項目として、"不快情報検出位置"、"制御内容"、"フィン方向"、"噴霧サイズ"、"噴霧量"を含む。
【００３０】
"不快情報検出位置"には、アロマオイルの噴霧を不快に感じている搭乗者の着座位置に関する情報が格納される。"制御内容"には、"不快情報検出位置"に着座する搭乗者に対してアロマオイルが噴霧されることを回避すべく、噴霧器１３０によるアロマオイルの拡散範囲を制御するための制御内容が定義される。"フィン方向"、"噴霧サイズ"、"噴霧量"には、それぞれ、"制御内容"に定義された制御を実現するための制御パターンとして、フィン方向、噴霧サイズ、噴霧量が格納される。
【００３１】
制御パターン情報５００の例は、後部座席に着座した搭乗者がアロマオイルの噴霧を不快に感じていると判定された場合、アロマオイルの拡散範囲が前方エリアのみとなるように、フィン方向をＤ１、噴霧サイズをＳ１、噴霧量をＶ１に制御することを示している。
【００３２】
また、制御パターン情報５００の例は、助手席に着座した搭乗者がアロマオイルの噴霧を不快に感じていると判定された場合、アロマオイルの拡散範囲が運転席のみとなるように、フィン方向をＤ２、噴霧サイズをＳ２、噴霧量をＶ２に制御することを示している。
【００３３】
更に、制御パターン情報５００の例は、運転席に着座した搭乗者がアロマオイルの噴霧を不快に感じていると判定された場合、アロマオイルの噴霧を停止するよう制御することを示している。
【００３４】
このように、不快情報検出位置ごとに制御内容を定義することで、アロマオイルの噴霧を不快に感じている搭乗者にアロマオイルが噴霧されることがないように、アロマオイルの拡散範囲を制御することができる。
【００３５】
＜搭乗者情報の一例＞
次に、脳波測定ユニット１１０＿１〜１１０＿４から送信され、車載器１２０にて解析される脳波データについて説明する。図６は、搭乗者情報の一例を示す図である。脳波データ解析部４２０は、脳波データ取得部４１０が取得した脳波データを、搭乗者情報６００としてＲＡＭ３０３に記憶する。図６に示すように、ＲＡＭ３０３に記憶される搭乗者情報６００には、情報の項目として"ユニットＩＤ"、"脳波データ"が含まれる。
【００３６】
"ユニットＩＤ"には、脳波測定ユニット１１０＿１〜１１０＿４から送信されるユニットＩＤが格納される。ユニットＩＤ＝０００１は、運転席に着座した搭乗者に装着された脳波測定ユニット１１０＿１を指す。また、ユニットＩＤ＝０００２は、助手席に着座した搭乗者に装着された脳波測定ユニット１１０＿２を指す。同様に、ユニットＩＤ＝０００３、０００４は、後部座席右側または後部座席左側に着座した搭乗者に装着された脳波測定ユニット１１０＿３、１１０＿４を指す。"脳波データ"には、"ユニットＩＤ"に格納されたユニットＩＤと対応付けて送信された脳波データが時系列データとして記憶される。
【００３７】
＜拡散範囲制御処理の流れ＞
次に、噴霧器制御部１２１による拡散範囲制御処理の流れについて説明する。図７は、拡散範囲制御処理の流れを示すフローチャートである。車両の搭乗者の指示に基づいて噴霧システム１００が起動し、噴霧器制御プログラムが実行開始された後、車両の搭乗者により噴霧開始の指示が入力されることで、噴霧器１３０よりアロマオイルの噴霧が開始されると、図７に示す拡散範囲制御処理が開始される。
【００３８】
なお、拡散範囲制御処理を開始するにあたり、予め脳波測定ユニット１１０＿１〜１１０＿４は、車内の各搭乗者に装着されているものとする。また、脳波測定ユニット１１０＿１〜１１０＿４と、車載器１２０との間の通信は予め確立されており、脳波測定ユニット１１０＿１〜１１０＿４にて測定された各搭乗者の脳波データは、ユニットＩＤとともに車載器１２０に送信されているものとする。
【００３９】
ステップＳ７０１において、脳波データ取得部４１０は、脳波測定ユニット１１０＿１〜１１０＿４から送信された脳波データの取得を開始する。これにより、搭乗者情報６００のそれぞれのユニットＩＤの"脳波データ"に、脳波データ取得部４１０が取得した脳波データが時系列データとして記憶されていく。なお、この時点では、アロマオイルは車内に拡散されていない（拡散範囲７１０参照）。
【００４０】
ステップＳ７０２において、脳波データ解析部４２０は、前回の脳波データの解析から所定時間が経過したか否かを判定する。ステップＳ７０２において、所定時間が経過していないと判定した場合には（ステップＳ７０２においてＮｏの場合には）、所定時間が経過したと判定するまで待機する。一方、ステップＳ７０２において、所定時間が経過したと判定した場合には（ステップＳ７０２においてＹｅｓの場合には）、ステップＳ７０３に進む。なお、この時点では、アロマオイルは車内全体に拡散している（拡散範囲７２０参照）。
【００４１】
ステップＳ７０３において、脳波データ解析部４２０は、所定時間内に記憶された脳波データを解析する。ステップＳ７０４において脳波データ解析部４２０は、ステップＳ７０３における解析の結果、所定の条件を満たす脳波データが検出されたか否かを判定する。なお、所定の条件を満たす脳波データとは、搭乗者が不快に感じていることを示す脳波データである。
【００４２】
ステップＳ７０４において、所定の条件を満たす脳波データが検出された場合（ステップＳ７０４においてＹｅｓの場合）、脳波データ解析部４２０は、ステップＳ７０４からステップＳ７０５へと進む。一方、ステップＳ７０４において、所定の条件を満たす脳波データが検出されなかった場合（ステップＳ７０４においてＮｏの場合）、脳波データ解析部４２０は、ステップＳ７０２に戻る。
【００４３】
ステップＳ７０５において、位置特定部４３０は、所定の条件を満たす脳波データが検出された脳波測定ユニットのユニットＩＤに基づいて、アロマオイルの噴霧を不快に感じている搭乗者の着座位置（不快情報検出位置）を特定する。
【００４４】
ステップＳ７０６において、制御部４４０は、制御パターン情報５００を読み出し、位置特定部４３０により特定された不快情報検出位置に対応する制御パターン（フィン方向、噴霧サイズ、噴霧量）を取得する。ステップＳ７０７において、制御部４４０は、取得した制御パターンを含む噴霧器制御情報を噴霧器１３０に送信することで、噴霧器１３０を制御する。これにより、アロマオイルの拡散範囲が変化する（拡散範囲７３０参照）。
【００４５】
ステップＳ７０８において、制御部４４０は、拡散範囲制御処理を終了するか否かを判定する。噴霧器１３０によるアロマオイルの噴霧が継続している場合には、拡散範囲制御処理を終了しないと判定し（ステップＳ７０８においてＮｏ）、ステップＳ７０２に戻る。一方、車両の搭乗者により噴霧停止の指示が入力され、噴霧器１３０によるアロマオイルの噴霧が停止した場合には（ステップＳ７０８においてＹｅｓの場合には）、拡散範囲制御処理を終了する。
【００４６】
＜まとめ＞
以上の説明から明らかなように、本実施形態における噴霧システム１００は、
・噴霧器によりアロマオイルの噴霧が開始されると、脳波測定ユニットより送信される脳波データの取得を開始し、所定の条件を満たすか否かを、所定時間ごとに判定する。
・取得した脳波データが所定の条件を満たすと判定した場合、当該搭乗者が着座している着座位置を特定し、特定した着座位置がアロマオイルの拡散範囲に含まれないようにするための制御パターン（フィン方向、噴霧サイズ、噴霧量）を読み出す。
・読み出した制御パターンに基づいて、噴霧器を制御する。
【００４７】
これにより、アロマオイルの拡散範囲が制御され、アロマオイルの噴霧を不快に感じている搭乗者に対してアロマオイルが噴霧されることを回避することができる。つまり、本実施形態における噴霧システム１００によれば、車内の各搭乗者の状態に応じて、噴霧の拡散範囲を制御することができる。
【００４８】
［第２の実施形態］
上記第１の実施形態では、噴霧器１３０を１台用意し、センタコンソール２３０のドリンクフォルダ２４０に固定するものとして説明した。しかしながら、噴霧システム１００に含まれる噴霧器の数は、１台に限定されず、複数台であってもよい。
【００４９】
図８は、複数の噴霧器の配置例及び噴霧器が複数の場合の制御パターン情報の一例を示す図である。このうち、図８（ａ）は、複数の噴霧器の車内における配置例を示している。図８（ａ）に示すように、噴霧システム１００が４台の噴霧器８１０＿１〜８１０＿４を含む場合、２台の噴霧器８１０＿１、８１０＿２は、例えば、運転席と助手席に着座するそれぞれの搭乗者用のドリンクフォルダ８２０に載置される。なお、図８（ａ）の例は、エアコンディショナの吹き出し口にドリンクフォルダ８２０が取り付けられている場合を示している。また、残りの２台の噴霧器８１０＿１、８１０＿２は、例えば、後部座席に着座するそれぞれの搭乗者用のドリンクフォルダ８３０に載置される。
【００５０】
図８（ｂ）は、噴霧器が複数の場合の制御パターン情報の一例を示す図である。図８（ｂ）に示すように、噴霧器が４台の場合、制御パターン情報８４０には、不快情報検出位置ごとに、各噴霧器８１０＿１〜８１０＿４の制御パターンが定義される。制御パターン情報８４０によれば、例えば、後部座席に着座した搭乗者がアロマオイルの噴霧を不快に感じていた場合、アロマオイルの拡散範囲が前方エリアのみとなるように、噴霧器８１０＿１〜８１０＿４それぞれが制御されることになる。
【００５１】
このように、第２の実施形態における噴霧システム１００によれば、車内の各搭乗者の状態に応じて、複数の噴霧器による噴霧の拡散範囲を制御することができる。
【００５２】
［その他の実施形態］
上記第１及び第２の実施形態では、噴霧器１３０が噴霧する収容物として、アロマオイルを例に挙げたが、アロマオイル以外の収容物を噴霧してもよいことはいうまでもない。
【００５３】
また、上記第１及び第２の実施形態では、搭乗者が不快に感じていることを示す脳波データを、所定の条件を満たす脳波データとして検出する場合について説明した。しかしながら、所定の条件を満たす脳波データはこれに限定されず、例えば、搭乗者がイライラしていることを示す脳波データなど、アロマオイルの効能がみられないことを示す脳波データを所定の条件を満たす脳波データとして検出してもよい。あるいは、反対に、所定の条件を満たす脳波データとして、アロマオイルの効能がみられる脳波データを検出してもよい。なお、この場合、制御パターンは、当該所定の条件を満たす脳波データが検出された搭乗者の着座位置に、積極的にアロマオイルを噴霧するための制御パターンが、噴霧器１３０に送信されることになる。
【００５４】
また、上記第１及び第２の実施形態では、制御パターン情報５００、８４０において、制御内容ごとに、フィン方向、噴霧サイズ、噴霧量を所定値に固定するものとして説明した。しかしながら、フィン方向、噴霧サイズ、噴霧量は、例えば、周期的に変動する値として定義してもよい。具体的には、制御内容＝"前方エリアのみ噴霧"であった場合、フィン方向を右→中央→左→中央→右と周期的に変動させ、フィン方向に同期して、噴霧量を多→少→多→少→多と変動させてもよい。
【００５５】
また、上記第１及び第２の実施形態では、噴霧器１３０に対して、制御パターンとして、フィン方向、噴霧サイズ、噴霧量を送信するものとして説明したが、制御パターンの組み合わせはこれに限定されるものではない。
【００５６】
また、上記第１及び第２の実施形態では、脳波測定ユニット１１０＿１〜１１０＿４を車載器１２０に接続し、車載器１２０は、車内の各搭乗者の脳波データを取得するものとして説明した。しかしながら、車載器が取得する各搭乗者の生体情報は、脳波データに限定されず、各搭乗者の状態（不快に感じている状態、効能がない状態、効能がある状態）を示す生体情報であれば、脳波データ以外の生体情報であってもよい。
【００５７】
また、上記第１及び第２の実施形態では、ユニットＩＤに基づいて着座位置を特定するものとして説明したが、着座位置の特定方法はこれに限定されず、他の方法により特定してもよい。また、着座位置は自動で特定されるように構成しても、搭乗者が手動で入力することで特定されるように構成してもよい。
【００５８】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００５９】
１００                ：噴霧システム
１１０＿１〜１１０＿４：脳波測定ユニット
１２０                ：車載器
１２１                ：噴霧器制御部
１２２                ：制御パターン情報ＤＢ
１３０                ：噴霧器
２２０                ：噴霧口
４１０                ：脳波データ取得部
４２０                ：脳波データ解析部
４３０                ：位置特定部
４４０                ：制御部
５００                ：制御パターン情報
６００                ：搭乗者情報
８１０＿１〜８１０＿４：噴霧器
【図１】
2018192963.tif 000003
【図２】
2018192963.tif 000004
【図３】
2018192963.tif 000005
【図４】
2018192963.tif 000006
【図５】
2018192963.tif 000007
【図６】
2018192963.tif 000008
【図７】
2018192963.tif 000009
【図８】
2018192963.tif 000010